(57)【要約】【課題】情報記録媒体に情報を記録・再生できる情報記録再生技術において、情報記録媒体の種類に応じて適した前記情報の見本を示す見本情報や前記情報の見本を一覧表示するための見本管理情報を生成し、記録し、又は再生する技術を提供すること。【解決手段】書換え可能な情報記録媒体に情報を記録する場合は、情報を記録するたびに前記情報の見本の一覧表示のための見本管理情報を生成し、見本管理情報を書換え可能な情報記録媒体に情報を記録する。（Ｓ１１２及びＳ１１３）書換え不可能な情報記録媒体に情報を記録する場合には、前記書換え不可能な情報記録媒体に記録されている情報を再生専用の情報再生装置で再生できるようにするための処理を行なう際に前記見本管理情報を生成する。（Ｓ１２２）又は、書換え不可能な情報記録媒体には前記見本管理情報を一回のみ記録する構成とする。【選択図】　図１
2004005776.tif 000002
【特許請求の範囲】
【請求項１】
書換え不可能な情報記録媒体に情報を記録・再生する情報記録再生装置において、
情報を入力する情報入力手段と、
前記情報入力手段により入力した情報に基いて前記情報の見本情報を生成する見本情報生成手段とを有し、
前記見本情報生成手段は、前記情報記録再生装置が前記書換え不可能な情報記録媒体に記録されている情報を再生専用の情報再生装置で再生できるようにするための処理を行なう際に、前記見本情報を生成することを特徴とする情報記録再生装置。
【請求項２】
書換え不可能な情報記録媒体に情報を記録・再生する情報記録再生装置において、
情報を入力する情報入力手段と、
前記情報入力手段より入力した情報に基いて前記情報の見本情報を生成する見本情報生成手段とを有し、
前記情報記録装置は、前記生成した見本情報を前記書換え不可能な情報記録媒体に記録することを特徴とする情報記録再生装置。
【請求項３】
書換え可能な情報記録媒体と書換え不可能な情報記録媒体とのいずれにも画像情報及び音声情報を記録・再生する情報記録再生装置において、
画像情報を入力する画像入力手段と、
音声情報を入力する音声入力手段と、
前記書換え可能な情報記録媒体と前記書換え不可能な情報記録媒体とのいずれにも前記画像情報及び音声情報を記録・再生する記録再生手段と、
前記画像情報及び音声情報の見本を一覧表示するための見本管理情報を生成する見本管理情報生成手段とを有し、
前記情報記録再生装置に書換え可能な情報記録媒体が装着されている場合には、前記見本管理情報生成手段は、前記画像入力手段が画像情報を入力するたびに前記見本管理情報を生成し、前記記録再生手段は、前記見本管理情報を前記書換え可能な情報記録媒体へ記録し、
前記情報記録再生装置に書換え不可能な情報記録媒体が装着されている場合には、前記見本管理情報生成手段は、前記情報記録再生装置が前記書換え不可能な情報記録媒体に記録されている画像情報及び音声情報を再生専用の情報再生装置で再生できるようにするための処理を行なう際にのみ前記見本管理情報を生成し、前記記録再生手段は、前記見本管理情報を前記書換え不可能な情報記録媒体に記録することを特徴とする情報記録再生装置。
【請求項４】
書換え可能な情報記録媒体と書換え不可能な情報記録媒体とのいずれにも画像情報及び音声情報を記録・再生する情報記録再生装置において、
画像情報を入力する画像入力手段と、
音声情報を入力する音声入力手段と、
前記書換え可能な情報記録媒体と前記書換え不可能な情報記録媒体とのいずれにも前記画像情報及び音声情報を記録・再生する記録再生手段と、
前記画像情報及び音声情報の見本を一覧表示するための見本管理情報を生成する見本管理情報生成手段とを有し、
前記記録再生手段は、前記見本管理情報生成手段により生成された見本管理情報を前記書換え可能な情報記録媒体上又は前記書換え不可能な情報記録媒体上に見本管理情報を１の領域に記録することを特徴とする情報記録再生装置
【請求項５】
請求項３または請求項４に記載の情報記録再生装置であって、前記画像情報及び音声情報の見本は、前記画像情報及び音声情報うちの画像情報を縮小することにより生成される画像であることを特徴とする情報記録再生装置。
【請求項６】
請求項３から請求項５のいずれか一項に記載の情報記録再生装置であって、
前記書換え可能な情報記録媒体としてＤＶＤ−ＲＡＭに画像情報及び音声情報を記録・再生し、前記書換え不可能な情報記録媒体としてＤＶＤ−Ｒに画像情報及び音声情報を記録・再生することを特徴とする情報記録再生装置。
【請求項７】
情報記録再生装置により書換え不可能な情報記録媒体に情報を記録・再生する情報記録再生方法において、
情報を入力し、
前記入力した情報に基いて前記情報の見本情報を生成し、
前記書換え不可能な情報記録媒体に記録されている情報を再生専用の情報再生装置で再生できるようにするための処理を行なう際に、前記見本情報を生成することを特徴とする情報記録再生方法。
【請求項８】
情報記録再生装置により書換え可能な情報記録媒体と書換え不可能な情報記録媒体とのいずれにも情報を記録・再生できる情報記録再生方法において、
情報を入力し、
前記情報記録再生装置に書換え可能な情報記録媒体が装着されている場合には、前記情報を入力するたびに前記情報の見本を一覧表示するための見本管理情報を生成し、
前記情報記録再生装置に書換え不可能な情報記録媒体が装着されている場合には、前記書換え不可能な記録媒体に記録されている情報を再生専用の情報再生装置で再生できるようにするための処理を行なう際に前記見本管理情報を生成することを特徴とする情報記録再生方法。
【請求項９】
情報記録再生装置により書換え可能な情報記録媒体と書換え不可能な情報記録媒体とのいずれにも画像情報及び音声情報を記録・再生する情報記録再生方法において、
画像情報を入力し、
音声情報を入力し、
前記情報記録再生装置に書換え可能な情報記録媒体が装着されている場合には、前記画像情報を入力するたびに前記画像情報及び音声情報の見本を一覧表示するための見本管理情報を生成し、前記画像情報及び音声情報及び前記見本管理情報を前記書換え可能な情報記録媒体に記録し、
前記情報記録再生装置に書換え不可能な情報記録媒体が装着されている場合には、前記書換え不可能な記録媒体に記録されている画像情報及び音声情報を再生専用の情報再生装置で再生できるようにするための処理を行なう際にのみ前記見本管理情報を生成し、前記見本管理情報を前記書換え不可能な情報記録媒体に記録することを特徴とする情報記録再生方法。
【請求項１０】
情報記録再生装置により書換え可能な情報記録媒体と書換え不可能な情報記録媒体とのいずれにも画像情報及び音声情報を記録・再生する情報記録再生方法において、
画像情報を入力し、
音声情報を入力し、
前記情報記録再生装置に書換え可能な情報記録媒体が装着されている場合には、前記画像情報を入力するたびに前記画像情報及び音声情報の見本の一覧表示するための見本管理情報を生成し、前記画像情報及び音声情報及び前記見本管理情報を前記書換え可能な情報記録媒体に記録し、
前記情報記録再生装置に書換え不可能な情報記録媒体が装着されている場合には、前記見本管理情報を一回のみ生成し、前記見本管理情報を前記書換え不可能な情報記録媒体に記録することを特徴とする情報記録再生方法
【請求項１１】
請求項９または請求項１０に記載の情報記録再生方法であって、前記画像情報及び音声情報の見本は、前記画像情報及び音声情報うちの画像情報を縮小することにより生成された画像であることを特徴とする情報記録再生方法。
【請求項１２】
請求項９から請求項１１のいずれか一項に記載の情報記録再生方法であって、前記書換え可能な情報記録媒体としてＤＶＤ−ＲＡＭに画像情報及び音声情報を記録・再生し、前記書換え不可能な情報記録媒体としてＤＶＤ−Ｒに画像情報及び音声情報を記録・再生することを特徴とする情報記録再生方法。
【請求項１３】
画像情報及び音声情報を記録する書換え不可能な情報記録媒体であって、
前記書換え不可能な情報記録媒体は、前記画像情報及び音声情報の見本を一覧表示するための見本管理情報を記録する領域を１つ有することを特徴とする書換え不可能な情報記録媒体。
【発明の詳細な説明】
【０００１】
【発明の属する技術分野】
本発明は、情報記録媒体に情報を記録・再生する情報記録再生技術に関する。特に書換え可能な情報記録媒体又は書換え不可能な情報記録媒体へ情報を記録・再生する技術に関する。
【０００２】
【従来の技術】
ＤＶＤカメラまたはＤＶＤレコーダ等のような情報記録媒体に画像情報及び音声情報（以下ＡＶ（Ａｕｄｉｏ／Ｖｉｓｕａｌ）情報と呼ぶ）を記録・再生する情報記録再生装置において、一般的に、ＡＶ情報の中身を簡単に検索できるように前記ＡＶ情報の見本を用いることが多い。ここでいう見本とは情報記録媒体に記録されているＡＶ情報の代表的な画像であり、記録したＡＶ情報のうち最初の画像を代表画とすることが多い。この見本を一覧表示することにより、ユーザは容易に目的とするＡＶ情報を検索して再生することができ、また、ＡＶ情報の削除、分割、修正等の編集作業が容易になる。
【０００３】
ところで、ＭＰＥＧ（Ｍｏｖｉｎｇ　Ｐｉｃｔｕｒｅ　Ｅｘｐｅｒｔｓ　Ｇｒｏｕｐ）方式という情報を圧縮する技術が情報記録再生装置で用いられている。このＭＰＥＧ方式では、他の画像フレームを参照しないＩピクチャ（Ｉｎｔｒａ−ｃｏｄｅｄ　Ｐｉｃｔｕｒｅ）と呼ばれる画像フレームがある。ＭＰＥＧ方式では、Ｉピクチャを参照画像フレームとして、次の画像フレームを復号し、さらに、すでに復号された画像フレームを参照画像フレームとして後続の画像フレームを復号していく。参照画像フレームを用いて復号する画像フレームの中には、時間的に前の画像フレームのみを参照画像フレームとするＰピクチャ（Ｐｒｅｄｉｃｔｉｖｅ−ｃｏｄｅｄ　Ｐｉｃｕｔｒｅ）と、時間的に前後の画像フレームを参照画像フレームとするＢピクチャ（Ｂｉｄｉｒｅｃｔｉｏｎａｌｌｙ　　ｐｒｅｄｉｃｔｉｖｅ−ｃｏｄｅｄ　ｐｉｃｔｕｒｅ）とがある。
【０００４】
情報記録媒体にＭＰＥＧ方式でＡＶ情報が記録されている場合に、見本の一覧表示の都度、情報記録媒体に記録されているＡＶ情報のシーン毎の最初のＩピクチャをデコードすることにより見本の一覧表示を行なってもよい。しかし、このように見本の一覧表示の際に、Ｉピクチャのデコードを行うと、デコードしたいＩピクチャが情報記録媒体上に点在している場合には、ピックアップが目標のＩピクチャが記録されている位置まで到達するまでのアクセス時間がさらに必要となり、またＩピクチャのデコードの時間だけ表示時間が長くなり、見本を一覧表示するのが遅くなってしまう。この見本一覧表示遅延を解決する為に、ＡＶ情報を書換え可能な情報記録媒体に記録する際に見本情報を入力し、見本を一覧表示するための見本管理情報を情報記録媒体に記録・更新しておく技術がある。見本の一覧表示の際には、この見本管理情報に基き見本を一覧表示することにより、見本の一覧表示に要する時間を短縮することができる。
【０００５】
【発明が解決しようとする課題】
最近では書換え可能な情報記録媒体と書換え不可能な情報記録媒体との両方にＡＶ情報を記録・再生できる情報記録再生装置も登場してきている。しかし、従来は、書換え不可能な情報記録媒体に記録されているＡＶ情報の見本を一覧表示するための見本の一覧表示遅延を防止する技術は提案されていない。特に、書換え可能な情報記録媒体と書換え不可能な情報記録媒体との両方にＡＶ情報を記録・再生できる情報記録再生装置において、情報記録媒体の種類に応じて適した見本の一覧表示処理は行なわれていなかった。
【０００６】
そこで、本発明の目的は、情報記録媒体に情報を記録・再生できる情報記録再生技術において、情報記録媒体の種類に応じて適した前記情報の見本を示す見本情報や前記情報の見本を一覧表示するための見本管理情報を生成し、記録し、又は再生する技術を提供することにある。
【０００７】
【課題を解決するための手段】
書換え可能な情報記録媒体に情報を記録する場合は、情報を記録するたびに前記情報の見本の一覧表示のための見本管理情報を生成し、書換え不可能な情報記録媒体に情報を記録する場合は、前記書換え不可能な情報記録媒体に記録されている情報を再生専用の情報再生装置で再生できるようにするための処理を行なう際に前記見本管理情報を生成する。
【０００８】
または、書換え不可能な情報記録媒体には前記見本管理情報を一回のみ記録する構成とする。
【０００９】
【発明の実施の形態】
以下、本発明の第１の実施形態について説明する。以下、書換え可能な情報記録媒体は、ＤＶＤ−ＲＡＭ（Ｒａｎｄｏｍ　Ａｃｃｅｓｓ　Ｍｅｍｏｒｙ）であり、ＡＶ情報はＤＶＤビデオレコーディング規格でＤＶＤ−ＲＡＭに記録されるものとする。また、書換え不可能な情報記録媒体は、ＤＶＤ−Ｒ（Ｒｅａｄ　ｏｎｌｙ　ｏｎｃｅ　Ｍｅｍｏｒｙ）であり、ＡＶ情報はＤＶＤビデオ規格でＤＶＤ−Ｒに記録されるものとする。また、本実施形態において前述のＡＶ情報の見本は、サムネールであるものとして説明をする。また、前述の情報の見本を一覧表示するための見本管理情報はサムネール管理情報であるものとして説明をする。
【００１０】
まず、ＤＶＤ−ＲにＤＶＤビデオ規格でＡＶ情報を記録した場合のファイナライズ前とファイナライズ後の情報記録媒体の状態を図２を用いて説明する。ファイナライズとは、書換え不可能な情報記録媒体に記録されている情報を再生専用の情報再生装置で再生できるようにするための処理である。特に、本実施形態におけるファイナライズとは、ＤＶＤ−Ｒに記録されているＡＶ情報をＤＶＤビデオ規格の再生装置で再生できる形式に情報を整える処理のことである。なお、ＤＶＤビデオ規格では、論理的に既定のディレクトリ構造を持てば良いだけでなく、物理的にもＤＶＤ−Ｒ上には情報を内周から外周へ順次配置しなければならない。しかし、必要なファイルを全てＡＶ情報を取得するたびに生成していくのは困難な為、最低限必要な情報をＡＶ情報を取得するたびに情報記録媒体に記録する。これらＡＶ情報を取得するたびに記録された情報のファイル化を含む、最終的なファイルをＤＶＤ―Ｒに記録するのはファイナライズの際に行われる。
【００１１】
図２はＤＶＤ−Ｒに記録する情報を模式的に表した図であり、左方向が、情報記録媒体の内周を示し、右方向が情報記録媒体の外周を示している。情報を逐次記録していく為に、ＤＶＤ−Ｒを予め大きく３つの領域、領域２００、領域２０１、領域２０２に分けるように構成する。ファイナライズ前にＡＶ情報を記録する際には、図２（ａ）に示したようにＡＶ情報管理ファイルを作成するための情報（まだファイル化されていないので”中間”をつけて以後、中間管理情報と呼ぶ。）２０３やＶＯＢ（Ｖｉｄｅｏ　０ｂｊｅｃｔ：ＡＶ情報を多重化したシステムストリーム）２０４がＤＶＤ−Ｒ上に順次記録されていく。
【００１２】
次に、ファイナライズの際に記録する情報を図２（ｂ）を用いて説明する。領域２００にはＤＶＤ−Ｒに記録されている情報を管理するシステム管理情報２１５が書き込まれる。領域２０１には中間管理情報からＡＶ情報管理ファイル２１３（∫１）を生成し、記録する。同時に、バックアップ情報などもファイル化して記録する。領域２０２にはＶＯＢを管理するＡＶ情報管理ファイル２１４（∫２）をファイル化して記録し、また、システム管理情報も記録する。ＤＶＤ−Ｒの内側と外側にはリードイン２１６、リードアウト２１７などを記録する。また、ＤＶＤ−Ｒに記録された情報を再生専用の情報再生装置で再生するにはＤＶＤ−Ｒ上の未記録領域にパディングを記録する必要があるので、必要に応じてパディングを記録する。なお、リードイン２１６、リードアウト２１７を記録した後は、ＤＶＤ−Ｒ上に情報を追記することはできなくなる。よって、リードイン２１６、リードアウト２１７は最後に記録する必要がある。
【００１３】
次に、図１、図４を用いてＤＶＤ−ＲＡＭとＤＶＤ−ＲとにＡＶ情報を記録できる情報記録再生装置のサムネール管理情報の生成処理について説明する。図１は、本実施形態のサムネール管理情報の生成処理を示したフローチャートである。図４は、ＤＶＤ−ＲＡＭとＤＶＤ―ＲとにＡＶ情報を記録・再生することができる情報記録再生装置の全体構成図である。
【００１４】
図４において、レンズ４００は、画像が入射するレンズである。ＣＣＤ４０１は、レンズ４００を通して得られた光情報を電気情報に変換する。Ａ／Ｄ変換器４０２は、ＣＣＤ４０１によって変換されたアナログの電気情報をデジタルの情報に変換する。情報処理部４０３は、Ａ／Ｄ変換器４０２で変換されたデジタル情報をＭＰＥＧ圧縮が行えるようなフォーマットに変換し、必要に応じて画質調整を行う。画像圧縮伸張部４０４は、情報処理部４０３で変換された画像情報をＭＰＥＧ圧縮する。
【００１５】
ＡＭＰ部４０７は、マイク４０６からの音声情報を増幅する。Ａ／Ｄ及びＤ／Ａ変換器４０８は、ＡＭＰ部４０７で増幅された音声情報をデジタル情報に変換する、音声圧縮伸張部４０９は、Ａ／Ｄ及びＤ／Ａ変換器４０８で変換されたデジタル情報をＭＰＥＧやドルビーディジタル等の圧縮を行う。
【００１６】
多重／分離部４１０は、画像圧縮伸張部４０４と音声圧縮伸張部４０９から出力されるエレメンタリストリームをＭＰＥＧ方式に準拠したシステムストリームに多重する。ドライバ部４１１は、多重／分離部４１０が生成したシステムストリームを、情報記録媒体の種類に応じて記録・再生を行う。情報記録媒体４１２は、ドライバ部４１１によってＡＶ情報が記録・再生される情報記録媒体であり、本実施例においては、ＤＶＤ−ＲＡＭ又はＤＶＤ−Ｒである。表示部４１５は、液晶モニタなどの表示部である。ファイナライズ処理部４１７はファイナライズ処理を行う。入力制御部４１３は、記録、再生、ファイナライズ及びサムネールの一覧表示等の指示を出力する。
【００１７】
制御部４０５は、入力制御部４１３から入力された指示を判断し、これに基き他の処理部に記録、再生、ファイナライズ及びサムネールの一覧表示等の処理を行わせるように制御する。また、制御部４０５は、情報記録装置の電源が入ると、又は、情報記録装置に光ディスクが装着されると、ドライバ部４１１を通じてその情報記録媒体の種類を判別し、情報記録媒体の情報を保持する。この状態を表す変数をＤＶＤ＿Ｓｔａｔｅとする。ここでは、この変数が０であればＤＶＤ−ＲＡＭ、１であればＤＶＤ−Ｒとする。この変数ＤＶＤ＿Ｓｔａｔｅは情報記録媒体の種類の判別ができれば良い。また、変数ＤＶＤ＿Ｓｔａｔｅは情報記録媒体が取り出されるまで保持される。また、制御部４０５は、後述するナビゲーション画面の枠組み情報を保持するための枠組み情報用メモリを有する。
【００１８】
サムネール管理部４１４は、画像圧縮伸張部４０４から画像情報をサムネール情報として展開し、サムネールを一覧表示するためのサムネール管理情報を生成する。ＤＶＤ―ＲＡＭにＡＶ情報を記録する場合には、ＡＶ情報の記録のたびにサムネール情報を展開し、これによりサムネール管理情報を生成する。ＤＶＤ−ＲにＡＶ情報を記録する場合には、ＡＶ情報の記録の際にはサムネール管理情報の生成は行なわず、ファイナライズの際にサムネール情報を展開し、サムネール管理情報を生成する。
【００１９】
なお、再生の際には、ドライバ４１１は、記録媒体４１２に記録している情報を読み出し、システムストリームを多重／分離部４１０に出力する。多重／分離部４１０は、システムストリームをエレメンタリストリームに分離して、画像圧縮伸張部４０４及び音声圧縮伸張部４０９に出力する。画像圧縮伸張部４０４は、圧縮された情報を伸張し、情報処理部４０３は、伸張された情報を表示部４０３に出力する。音声圧縮伸張部４０９は、圧縮された情報を伸張する。音声圧縮伸張部４０９により伸張された情報は、Ａ／Ｄ及びＤＡ変換器４０８及びＡＭＰ部４０７を介しスピーカ４１６へ出力される。
【００２０】
次に、サムネール管理情報の生成処理について図１、図３及び図４を用いて説明する。
【００２１】
第１の実施形態において、ＡＶ情報の記録の際とファイナライズの際にのみサムネール管理情報の生成を行なう。よって、以下、説明の便宜上、入力制御部３からは記録かファイナライズかの指示しかないものとして、サムネール管理情報の生成処理について説明する。
最初に、ステップＳ１００で、入力制御部４１３から記録かファイナライズの指示情報が出力される。それを受けてステップＳ１０１において、制御部４０５は、入力制御部４１３からの指示情報が記録かファイナライズかを判定する。入力制御部４１３からの指示情報が記録なら処理はステップＳ１１１に移行し、ファイナライズなら処理はステップＳ１２１に移行する。ステップＳ１１１では、情報記録媒体の種類を判定する。上述の様に、すでに制御部４０５によって情報記録媒体の変数ＤＶＤ＿Ｓｔａｔｅは保持されているので、その値をチェックすればよい。ステップＳ１１１で情報記録媒体がＤＶＤ−ＲＡＭであると判定された場合は、処理はステップＳ１１２に移る。
【００２２】
ステップＳ１１２で、ＤＶＤ−ＲＡＭに記録するＡＶ情報の取得が開始されると、制御部４０５は、最初に画像圧縮伸張部４０４に入力されたＩピクチャのフォーマット変換を行ってからサムネール管理部４１４に出力するよう指示する。サムネール管理部４１４は、画像圧縮伸張部４０４によりフォーマット変換された画像をサムネールとしてサムネール管理部４１４が有するメモリに展開し、サムネール管理情報を生成する。ここでいうフォーマット変換とは７０４ｘ４８０画素から１２８ｘ９６画素への間引き（画像の縮小化）をするような変換を意味している。この変換後の画素数は、液晶などの表示部に製作者が要求するサイズで表示できるような値であればよい。
【００２３】
次に、ステップＳ１１３において、制御部４０５は、サムネール管理部４１４により生成されたサムネール管理情報をドライバ部４１１によりＤＶＤ−ＲＡＭ４１２にサムネール管理情報ファイルとして記録・更新させる。その後、ステップＳ１１４にて、サムネール管理情報の生成処理を終了する。ＤＶＤ−ＲＡＭに記録されているＡＶ情報のサムネールを表示する際には、ＤＶＤ−ＲＡＭに記録されているサムネール管理情報ファイルに基いてサムネールを一覧表示できるので、Ｉピクチャのデコード処理時間等を削減することが可能となる。なお、ここで、ファイル化というのは、ＤＶＤビデオレコーディング又はＤＶＤビデオ規格における情報記録媒体へ情報を記録する方式を意味している。本発明において、見本管理情報を情報記録媒体に記録する際のファイル化の有無は、発明の構成に何ら影響を与えるものではない。
【００２４】
次に、ステップＳ１１１で情報記録媒体がＤＶＤ−Ｒであると判断された場合は、制御部４０５はサムネール管理情報の生成処理をすることなく、ステップＳ１１４に移り、サムネール管理情報の生成処理を終了する。その後、図１には示さないが、図２（ａ）に基いて説明したように、ＶＯＢと中間管理情報をＡＶ情報を取得するたびに生成し、順次ＤＶＤ―Ｒに記録する。したがって、ファイナライズ前にＤＶＤ―Ｒに記録されているＡＶ情報のサムネールを表示する場合は、ＤＶＤ−Ｒに記録されているＶＯＢからサムネールを生成し、サムネール表示を行うこととなる。この場合は、Ｉピクチャのデコード等の時間を削減することはできない。但し、情報記録再生装置をサムネール管理情報を記録するためのサムネール管理用メモリを有する構成とし、サムネール管理情報を前記サムネール管理用メモリに更新できるようにしておいても良い。ファイナライズ前にはこのサムネール管理用メモリ上のサムネール管理情報からサムネールの一覧表示を行うようにすればデコード時間等を削減できる。
【００２５】
ステップＳ１０１で、制御部４０５が、入力制御部４１３からファイナライズを指示する情報が入力されたことを判断すると、処理はステップＳ１２１に移る。ステップＳ１２１では情報記録媒体の種類を判別し、情報記録媒体がＤＶＤ−ＲＡＭの場合であれば、ファイナライズ処理を行なう必要は無いので、ステップＳ１２５に移行し、ファイナライズ処理及びサムネール管理情報生成処理を終了する。一方、ステップＳ１２１で情報記録媒体がＤＶＤ−Ｒであると判断した場合には、ステップＳ１２２に移行する。ステップＳ１２２では、制御部４０５は、ドライバ部４１１を介してＤＶＤ―Ｒに記録されているＶＯＢ及び中間管理情報を取得する。この中間管理情報に基いてシーンの区切り目を判断し、多重／分離部４１１を介して、ＶＯＢを画像圧縮伸張部４０４によりデコードする。
【００２６】
サムネール管理部４１４は、多重／分離部４１１、画像圧縮伸張部４０４によりデコードされた画像情報をサムネール情報としてサムネール管理部４１４のメモリに展開し、サムネール管理情報を生成する。次に、ステップＳ１２３で、制御部４０５は、サムネール管理部４１４により生成されたサムネール管理情報をドライバ部４１１によりＤＶＤ−Ｒに記録させる。ＡＶ情報管理ファイル２１３よりも内周側か、もしくはＡＶ情報管理ファイル２１４よりも外周側であれば、図３（ａ）に示したように領域２０１にサムネール管理情報３００を記録しても良し、図３（ａ）における領域２００又は領域２０２に記録しても良い。ステップＳ１２４では、ファイナライズ処理部４１７はドライバ部４１１を通して、ＤＶＤ−Ｒに、図３（ｂ）に示したような形式で情報を記録する。ここで、サムネール管理情報３００もファイル化され、サムネール管理情報ファイル３０１となる。その他のファイナライズ処理については、図２を用いて説明したのもと同様である。その後、処理はステップＳ１２５に移行し、ファイナライズ処理及びサムネール管理情報生成処理を終了する。
【００２７】
なお、サムネール管理情報の生成処理は、ファイナライズの指示が入力された後、リードイン２１６、リードアウト２１７を記録する前であればいつ行っても良い。上述したように、リードイン２１６、リードアウト２１６を記録する前であれば、ＤＶＤ−Ｒに情報を追記することは可能なためである。
【００２８】
図５は、本実施形態のサムネールの一覧表示を示した図である。以後、画面５００と画面５１０をナビゲーション画面と呼ぶ。画面５００はＤＶＤ−ＲＡＭのナビゲーション画面であり、画面５１０はＤＶＤ−Ｒのナビゲーション画面である。ナビゲーション画面５００上の５０２がサムネールである。ナビゲーション画面５００には１２枚のサムネールが表示されている。枚数は１２に限ったことではない、ユーザが見やすい数であればいくつでも構わない。また、ナビゲーション画面５１０において、５１２がサムネールである。メニュー表示部５０３、選択メニュー５１３は、選択されているＡＶ情報のメニューを表示する。説明表示部５０４、５１４は操作ボタンの説明を表示する。処理表示部５０１と５１１は処理の内容を表示する。図５からわかるようにメニュー表示部５０３、５１３内の情報記録媒体の種別を表示する領域を除いては、ＤＶＤ−ＲＡＭのナビゲーション画面とＤＶＤ−Ｒのナビゲーション画面とは同様の表示をしている。
【００２９】
本実施形態において、制御部４０５は、ナビゲーション画面におけるサムネール以外の情報（枠組み情報と呼ぶ）を記憶するための枠組み情報用メモリを有する。ナビゲーション画面を表示する際には、制御部４１４は、ＤＶＤ―Ｒからドライバ４１１を介してサムネール管理情報を読み出し、前記枠組み情報用メモリに記憶している枠組み情報とサムネール管理情報とを組み合わせた情報を情報処理部４０３に出力し、これにより、情報処理部４０３は、表示部４１５へナビゲーション画面を示す情報を出力する。
【００３０】
以上、第１の実施形態では、ＤＶＤ―Ｒをファイナライズした後であれば、ＤＶＤ−Ｒの場合でもＤＶＤ−ＲＡＭの場合と同様にサムネール管理情報ファイルが情報記録媒体上に存在する。よって、情報記録媒体に記録されているＡＶ情報のサムネールを表示する際には情報記録媒体の種類によらず、サムネール管理情報ファイルに基いてサムネールの一覧表示を行なうので、高速なサムネールの一覧表示が可能となる。また、情報記録媒体の種類によらず、サムネール管理情報ファイルの数は情報記録媒体上に多数存在しないので、有限な情報記録媒体の記録領域を有効に使うことができる。
【００３１】
また、情報記録媒体の種類にかかわらずサムネール管理情報を生成し、情報記録媒体にファイル化して記録する構成とする。これにより、サムネール管理情報ファイルを利用してサムネールを表示できるので、異なる情報記録媒体において共通なＧＵＩ（Ｇｒａｐｈｉｃａｌ　Ｕｓｅｒ　Ｉｎｔｅｒｆａｃｅ）を利用でき、新規のＧＵＩを作成しなくても良いという効果がある。
次に、第２の実施形態にについて説明する。第１の実施例では、ＡＶ情報をＤＶＤ−Ｒに記録する場合は、ファイナライズ以前はサムネール管理情報を生成しないので、ファイナライズ以前は情報記録媒体上にサムネール管理情報が存在しない。よって、サムネールの一覧表示に時間がかかってしまう。これを回避するために、第２の実施形態では、図６に示したように、ファイナライズ以前においても、情報記録媒体にＡＶ情報を記録するたびにサムネール管理情報を書換え不可能な情報記録媒体に記録する構成としても良い。図６において、中間管理情報６００にサムネール管理情報を含ませる構成とした。これにより、ファイナライズ以前でも高速にサムネールの一覧表示を行うことができる。また、図６においては、中間管理情報６００を領域２０１に記録する例をあげているが、中間管理情報６００を領域２００又は領域２０３に記録しても良いことは第１の実施形態と同様である。
【００３２】
以上、第２の実施形態では、ファイナライズ以前でも書換え不可能な情報記録媒体上に中間管理情報の中にサムネール管理情報が存在するので、第１の実施形態の効果に加えて、ファイナライズ以前でも高速にサムネールの一覧表示ができるという効果がある。
【００３３】
以上、第１と第２の実施形態とにおいて、書換え可能な情報記録媒体はＤＶＤ−ＲＡＭ（Ｒａｎｄｏｍ　Ａｃｃｅｓｓ　Ｍｅｍｏｒｙ）であり、書換え不可能な情報記録媒体はＤＶＤ−Ｒ（Ｒｅａｄ　ｏｎｌｙ　ｏｎｃｅ　Ｍｅｍｏｒｙ）であるものとして説明した。しかし、本発明の情報記録媒体の種類はこれに限られるものではなく、その記録の方式もＤＶＤの記録方式に限られるものではない。また、情報記録媒体に記録する情報は、ＡＶ情報であるものとして説明をしたが、本発明の情報記録媒体に記録する情報はこれに限られるものではない。
【００３４】
【発明の効果】
以上、本発明により、情報記録媒体に情報を記録・再生できる情報記録再生技術において、情報記録媒体の種類に応じて適した前記情報の見本を示す見本情報や前記情報の見本を一覧表示するための見本管理情報を生成し、記録し、又は再生する技術を提供することができる。
【図面の簡単な説明】
【図１】サムネール情報管理情報生成処理を説明するフローチャートである。
【図２】ファイナライズ前とファイナライズ後のＤＶＤ―Ｒのイメージ図である。
【図３】ファイナライズ前とファイナライズ後のＤＶＤ―Ｒのイメージ図である。
【図４】情報記録再生装置の全体構成を示すブロック図である。
【図５】サムネールを一覧表示したナビゲーション画面である。
【図６】ＤＶＤ―Ｒ上に中間サムネール管理情報を記録する位置を説明する図である。
【符号の説明】
４００・・・レンズ、４０１・・・ＣＣＤ、４０２・・・ＡＤ変換器、４０３・・・情報処理部、４０４・・・画像圧縮伸張部、４０５・・・制御部、４０６・・・マイク、４０７・・・ＡＭＰ、４０８・・・Ａ／Ｄ及びＤ／Ａ変換器、４０９・・・音声圧縮伸張部、４１０・・・多重／分離部、４１１・・・ドライバ部、４１２・・・光ディスク、４１３・・・入力制御部、４１４・・・表示部、４１６・・・スピーカ、４１７・・・ファイナライズ処理部
【図１】
2004005776.tif 000003
【図２】
2004005776.tif 000004
【図３】
2004005776.tif 000005
【図４】
2004005776.tif 000006
【図５】
2004005776.tif 000007
【図６】
2004005776.tif 000008